(57)【要約】【課題】スタビライザの突端からの空気の漏れ流れが発生することにより風量性能が劣化するとともに、漏れ流れの乱れによって騒音の上昇につながる。熱交換器の下部からの空気の流れによって、前記漏れ流れの乱れを助長することになり騒音上昇につながる。【解決手段】本発明のスタビライザ７は、その舌部上部のガイダ部７ａの最先端部にアールＲを設け、その最先端部の尖端９から、スタビライザ舌部７ｂに向けて、舌部上部のガイダ部７ａとファン２との距離を徐々に拡大させる。すなわち、最先端部の尖端９とファン２との距離：Ｓ１、スタビライザ舌部７ｂとファン２との距離：Ｓ２とすると、Ｓ１＜Ｓ２の関係が成立する。【選択図】  図３
2004278844.tif 000002
【特許請求の範囲】
【請求項１】
本体内にクロスフローファンと、スタビライザと、リアガイダと、熱交換器を備えた空気調和機の室内ユニットであって、前記スタビライザは、吹き出し部を形成する舌部から先端部に前記ファンの回転方向に伸びた前記クロスフローファン側において、前記クロスフローファンと前記スタビライザの距離が徐々に減少して、前記スタビライザの最先端部にアール部を設け、前記スタビライザの最先端部でクロスフローファンとの距離が最短となることを特徴とした空気調和機の室内ユニット。
【請求項２】
本体内にクロスフローファンと、スタビライザと、リアガイダと、熱交換器を備えた空気調和機の室内ユニットであって、前記スタビライザは、吹き出し部を形成する舌部から先端部に前記ファンの回転方向に伸びた前記クロスフローファン側において、前記スタビライザの肉厚が、吹き出し部を形成する舌部から先端部に前記クロスフローファンの回転方向に徐々に減少して、その最先端部に前記クロスフローファン側に凸となるアール付きの尖端を設けた構成であることを特徴とした空気調和機の室内ユニット。
【請求項３】
前記室内機が前面カバーの少なくとも下端部から空気を吸込む構成であって、前記前面グリルの下端部の吸込み口を前記スタビライザの先端より下方に配したことを特徴とする請求項１または２記載の空気調和機の室内ユニット。
【発明の詳細な説明】
【０００１】
【産業上の利用分野】
本発明は住宅などの空調に用いる空気調和機の室内ユニットに関する。
【０００２】
【従来の技術】
以下に従来の空気調和機の室内ユニットについて説明する（例えば特許文献１参照）。
【０００３】
図７に示すように、空気調和機の本体１は、台枠２とこの台枠２の前方に取り付けられた前面カバー３とからなり、台枠２および前面カバー３の上部には、室内空気の吸い込みグリル４が設けられている。また、図８（ａ）に示すように、クロスフローファン５の中心から見て全域を囲むように２つ折りした熱交換器６ａ，６ｂが配設されている。
【０００４】
従来のスタビライザ７は、その舌部上部のガイダ部７ａの突端８から尖端９に向けて、舌部上部のガイダ部７ａとファン５との距離を徐々に拡大させ、かつ、舌部上部のガイダ部７ａの熱交換器６ａとの距離が最短である最短距離点１０から尖端９に向けて、熱交換器６ａとの距離を徐々に拡大させた構成としている。
【０００５】
この構成により、図８（ｂ）に示すように、スタビライザ７のファン５の回転方向に伸びた舌部上部のガイダ部７ａにおいて、ファン５との最短距離点である突端８から尖端９に向けて生じる点線の矢印で示した空気の漏れ流れが発生する。これにより、風量性能が劣化するとともに、漏れ流れの乱れにより僅かに騒音が上昇する。
【０００６】
また、熱交換器６ａの下部から流入した空気は、スタビライザ７の舌部上部のガイダ部７ａのファン５の回転方向に伸びた部分に沿ってファン５に流入する時、漏れ流れの乱れを助長して騒音上昇となる。
【０００７】
【特許文献１】
特開平８−６１６８５号公報
【０００８】
【発明が解決しようとする課題】
上述のように従来の構成では、スタビライザ７の突端８からの空気の漏れ流れが発生することにより風量性能が劣化するとともに、漏れ流れの乱れによって、騒音の上昇につながり、熱交換器６ａの下部からの空気の流れによって、前記漏れ流れの乱れを助長することになり、騒音上昇につながる。すなわち、風量性能の低下と騒音の上昇という問題点を有している。
【０００９】
本発明は上記従来の問題点を解決するもので、スタビライザ先端近傍の空気流による騒音の増加を防止し、風量性能が低下しない空気調和機の室内ユニットを提供することを目的とする。
【００１０】
【課題を解決するための手段】
この目的を達成するために本発明の空気調和機の室内ユニットは、クロスフローファンと、スタビライザと、リアガイダと、熱交換器を備えた空気調和機の室内ユニットであって、前記スタビライザは、吹き出し部を形成する舌部から先端部に前記ファンの回転方向に伸びた前記クロスフローファン側において、前記クロスフローファンと前記スタビライザの距離が徐々に減少して、前記スタビライザの最先端部にアール部を設け、前記スタビライザの最先端部でファンとの距離が最短となるようにする。
【００１１】
【実施の形態】
以下に本発明の実施の形態について、図面を参照しながら説明する。
【００１２】
前述従来の技術について説明した構成部分と同じ部分については同一符号を付し、その説明を省略する。
【００１３】
（第１の実施の形態）
図１に示すように、空気調和機の本体１は、台枠２とこの台枠２の前方に取り付けられた前面カバー３とからなり、台枠２および前面カバー３の上部には、吸い込みグリル４が設けられている。また、図２に示すように、ファン５の中心から見て全域を囲むように熱交換器６ａ，６ｂ，６ｃが配設されている。
【００１４】
図３は、図２の矢印部分の拡大図である。図３に示すように、本実施例のスタビライザ７は、その舌部上部のガイダ部７ａの最先端部にアールＲを設け、その最先端部の尖端９から、スタビライザ舌部７ｂに向けて、舌部上部のガイダ部７ａとファン２との距離を徐々に拡大させる。すなわち、最先端部の尖端９とファン２との距離：Ｓ１、スタビライザ舌部７ｂとファン２との距離：Ｓ２とすると、Ｓ１＜Ｓ２の関係が成立する。
【００１５】
この形状によりスタビライザ舌部７ｂからファン２の回転方向に誘引される流れ（破線矢印）は、スタビライザの舌部上部の最先端部の尖端９付近で、殆どファン５に吸い込まれる。すなわち、漏れ流れが殆どなく風量性能が向上する。また、最先端部にアールＲを設けることにより、漏れ流れについても乱れを抑制して熱交換器側からの流れと円滑に合流して騒音低減の効果を得る。よって、風量性能の向上と騒音の低減の両者の効果を得ることができる。
【００１６】
（第２の実施の形態）
図４は、図２の矢印部分の拡大図である。図４に示すように、本実施例は前述実施の形態１の構成に、スタビライザ７の舌部上部のガイダ部７ａの先端部の近傍にファン側に凸となるアールｒを設ける。このアールｒ部分でファンとの距離が最接近した点から、スタビライザ舌部７ｂに向けて、舌部上部のガイダ部７ａとファン２との距離を徐々に拡大させる。すなわち、アールｒ部分でファンとの距離：Ｓ１、スタビライザ舌部７ｂとファン２との距離：Ｓ２とすると、Ｓ１＜Ｓ２の関係が成立する。
【００１７】
同時に、スタビライザ７の舌部上部のガイダ部７ａの肉厚を、舌部から最先端部に向い徐々に減少させる。すなわち、図４に示した各部分における、肉厚をＴ１、Ｔ２、Ｔ３とすると、  Ｔ３＜Ｔ２＜Ｔ１  の関係が成立する。
【００１８】
このアールｒ部分の形状によりスタビライザ舌部７ｂからファン２の回転方向に誘引される流れ（破線矢印）は、スタビライザの舌部上部のアールｒ部分で、乱流成分を抑制してファン５に吸い込まれて、低騒音化を図ることができる。
【００１９】
また、スタビライザ７の肉厚が吹き出し部を形成する舌部７ｂから先端部に前記クロスフローファンの回転方向に徐々に減少していることにより、スタビライザのファン側に沿う漏れ流れと、熱交換器側に沿う流入流れが円滑に合流する。すなわち、両者の流れをスタビライザの肉厚を徐々に減少させることにより、合流付近すなわち最先端部あたりでは、ほぼ同じ方向成分を有する流れとなり、合流による損失を低減することができる。
【００２０】
さらに、その最先端部にファン側に凸となるアール付きの尖端を設けることにより、後縁剥離を抑制する。ファン側に凸とすることにより、やや風速の速い漏れ流れの剥離を抑制することができる。また、漏れ流れを殆どなくす本来の機能も確保することができる。
【００２１】
（第３の実施の形態）
図５に示すように、空気調和機の本体１において、主な吸い込み部が本体１の上部吸い込み部４ａと下部吸い込み部４ｂによって構成され、本体１の前面部にはパネル１１が装着されてレバー１２によって開閉が可能で有り、図５は運転時の開いた状態である。
【００２２】
図６に示すように、下部吸い込み部４ｂの位置を本体１の底辺から高さｈ、スタビライザ７の舌部上部のガイダ部７ａの最先端の高さＨ、とすると  ｈ＜Ｈ  の関係が成立する。このような、下流に配置されている主な吸込み領域を前記スタビライザの先端より下方に設置した形態で、第２及び第３の実施の形態が設けられたものである。
【００２３】
このような形態の場合、下部吸い込み部４ｂからの吸い込み流れ（破線矢印）は、熱交換器の下部を通過してスタビライザ７の舌部上部のガイダ部７ａの熱交換器側を沿う流れが著しく増加する。従って、スタビライザのファン側に沿う漏れとの合流を円滑にすることにより、低騒音化と風量性能の効果が顕著に得られる。
【００２４】
【発明の効果】
以上から、スタビライザ舌部からファンの回転方向に誘引される流れは、スタビライザの舌部上部の最先端部の尖端付近で、殆どファンに吸い込まれる。すなわち、漏れ流れが殆どなく風量性能が向上する。また、最先端部にアールを設けることにより、僅かな漏れ流れについても、乱れを抑制して騒音低減の効果を得る。よって、風量性能の向上と騒音の低減の両者の効果を得る。
【図面の簡単な説明】
【図１】本発明の第１の実施の形態の室内ユニットの外観斜視図
【図２】同室内ユニットの断面略図
【図３】本発明の第１の実施の形態の図２のＡ部拡大断面略図
【図４】本発明の第２の実施の形態の図２のＡ部拡大断面略図
【図５】本発明の第３の実施の形態の室内ユニットの断面略図
【図６】同室内ユニットの吸い込み部付近の拡大断面略図
【図７】従来の室内ユニットの外観斜視図
【図８】（ａ）従来の室内ユニットの断面略図
（ｂ）従来の室内ユニットの要部拡大断面図
【符号の説明】
１  空気調和機本体
２  台枠
３  前面カバー
４  吸い込みグリル
５  ファン（クロスフローファン）
６ａ，ｂ，ｃ  熱交換器
７  スタビライザ
７ａ  （スタビライザ）ガイダ部
７ｂ  （スタビライザ）舌部
８  突端
９  尖端
１０  最短距離点
【図１】
2004278844.tif 000003
【図２】
2004278844.tif 000004
【図３】
2004278844.tif 000005
【図４】
2004278844.tif 000006
【図５】
2004278844.tif 000007
【図６】
2004278844.tif 000008
【図７】
2004278844.tif 000009
【図８】
2004278844.tif 000010